(57)【要約】【課題】カートリッジ交換型ハードディスクのカートリッジのダストやガス等に対する信頼性を高めることができるディスクドライブ装置を提供する。【解決手段】磁気ディスク１２を閉空間ＣＳｂに収納したカートリッジ１０が着脱されるカートリッジ装着部３３と、磁気ディスク１２への情報の記録および前記記録媒体からの情報の再生の少なくとも一方を行う磁気ヘッド４１を所定の可動範囲で移動可能に保持するヘッド部４０と、ヘッド部４０を閉空間ＣＳａに収納し、ヘッド部４０を外部から隔離する収納部８０と、カートリッジ装着部３３へ装着されたカートリッジ１０の閉空間ＣＳｂと収納部８０の閉空間ＣＳａとをヘッド部４０による磁気ディスク１２へのアクセスを可能に連通させる閉空間連結機構とを有する。【選択図】図１
2004110925.tif 000002
【特許請求の範囲】
【請求項１】
円板状の記録媒体を閉空間に収納したカートリッジが着脱されるカートリッジ装着部と、
前記記録媒体への情報の記録および前記記録媒体からの情報の再生の少なくとも一方を行う記録／再生手段を所定の可動範囲で移動可能に保持するヘッド部と、
前記ヘッド部を閉空間に収納し、当該ヘッド部を外部から隔離する収納部と、前記カートリッジ装着部へ装着された前記カートリッジの閉空間と前記収納部の閉空間とを前記ヘッド部による前記記録媒体へのアクセスを可能に連通させる閉空間連結機構と
を有するディスクドライブ装置。
【請求項２】
前記閉空間連結機構は、前記収納部のもつ開口を開閉する収納部開閉部材と、前記収納部開閉部材を開閉する開閉機構とを有し、
前記収納部開閉部材は、前記カートリッジの前記カートリッジ装着部への装着により、前記カートリッジの開口を開閉するカートリッジ開閉部材と結合し、
前記開閉機構は、結合された前記収納部開閉部材と前記カートリッジ開閉部材とを開放方向に移動させる
請求項１に記載のディスクドライブ装置。
【請求項３】
前記開閉機構は、前記カートリッジの前記カートリッジ装着部への装着力を利用して前記収納部開閉部材と前記カートリッジ開閉部材とを開放方向に移動させる
請求項２に記載のディスクドライブ装置。
【発明の詳細な説明】
【０００１】
【発明の属する技術分野】
本発明は、たとえば、磁気ディスク、光ディスク、光磁気ディスク等の円盤状の記録媒体に対する情報の記録再生を行うディスクドライブ装置に関する。
【０００２】
【従来の技術】
たとえば、ハードディスクドライブ（ＨＤＤ）装置では、記録媒体である磁気ディスクをカートリッジに収納し、装置本体に着脱可能にしたカートリッジ交換型ハードディスクが知られている。（特許文献１参照）
【０００３】
【特許文献１】
特開昭６０−２２６０６２号公報
【０００４】
【発明が解決しようとする課題】
ところで、上記のカートリッジ交換型ハードディスクにも種々のタイプが知られている。
たとえば、磁気ディスクのみをカートリッジに収納したタイプのカートリッジ交換型ハードディスクは、カートリッジの磁気ディスクのみを収納すればよいのでカートリッジの製造コストを低減することができる。
しかしながら、このタイプのカートリッジ交換型ハードディスクは、記録再生時にカートリッジを開いて磁気ヘッドがカートリッジの外部から磁気ディスクにアクセスする構造であるため、カートリッジの密閉性が低く、ダストやガスに対する信頼性が低いという不利益が存在する。また、カートリッジがディスクドライブ装置内に持ち込むダストやガス（水分、オイルミスト）によって、ディスクドライブ装置内の磁気ヘッドが汚染される可能性もある。
【０００５】
本発明は、上記した問題に鑑みてなされたものであって、その目的は、カートリッジ交換型ハードディスクのカートリッジのダストやガス等に対する信頼性を高めることができるディスクドライブ装置を提供することにある。
【０００６】
【課題を解決するための手段】
本発明のディスクドライブ装置は、円板状の記録媒体を閉空間に収納したカートリッジが着脱されるカートリッジ装着部と、前記記録媒体への情報の記録および前記記録媒体からの情報の再生の少なくとも一方を行う記録／再生手段を所定の可動範囲で移動可能に保持するヘッド部と、前記ヘッド部を閉空間に収納し、当該ヘッド部を外部から隔離する収納部と、前記カートリッジ装着部へ装着された前記カートリッジの閉空間と前記収納部の閉空間とを前記ヘッド部による前記記録媒体へのアクセスを可能に連通させる閉空間連結機構とを有する。
【０００７】
好適には、前記閉空間連結機構は、前記収納部のもつ開口を開閉する収納部開閉部材と、前記収納部開閉部材を開閉する開閉機構とを有し、前記開閉部材は、前記カートリッジの前記カートリッジ装着部への装着により、前記カートリッジの開口を開閉するカートリッジ開閉部材と結合し、前記開閉機構は、結合された前記収納部開閉部材と前記カートリッジ開閉部材とを開放方向に移動させる。
【０００８】
さらに好適には、前記開閉機構は、前記カートリッジの前記カートリッジ装着部への装着力を利用して前記収納部開閉部材と前記カートリッジ開閉部材とを開放方向に移動させる。前記連結手段は、前記収納部を開閉する収納部開閉部材と、前記収納部開閉部材を開閉する開閉機構とを有し、前記開閉部材は、前記カートリッジを開閉するカートリッジ開閉部材と当該カートリッジの前記カートリッジ装着部への装着により結合され、前記開閉機構は、結合された前記収納部開閉部材と前記カートリッジ開閉部材とを開放方向に移動させる。
【０００９】
本発明では、カートリッジ装着部へカートリッジを装着すると、閉空間連結機構が収納部の閉空間とカートリッジの閉空間を連通させる。これにより、カートリッジ内部および収納部内部は連通し、かつ、外部から隔離された状態となる。この状態で、ヘッド部による磁気記録媒体へのアクセスが行われる。
【００１０】
【発明の実施の形態】
以下、本発明の実施の形態について図面を参照して説明する。
第１実施形態
図１は本発明の一実施形態に係るディスクドライブシステムの要部構成を示す断面図である。
図１において、本実施形態に係るディスクドライブシステム１は、カートリッジ１０と、ディスクドライブ装置３０とを有する。
なお、図１は、ディスクドライブ装置３０にカートリッジ１０を装着する途中の状態を示している。カートリッジ１０は、図１に示す矢印Ｄ１およびＤ２の方向に抜き差しすることにより、ディスクドライブ装置３０に対して脱着される。
【００１１】
カートリッジ１０は、カートリッジ本体１１と、カートリッジ本体１１の内部に収容された磁気ディスク１２と、カートリッジ本体１１を開閉するカートリッジ開閉部材１３とを有する。なお、磁気ディスク１２は、本発明の円盤状の記録媒体の一実施態様である。
【００１２】
カートリッジ本体１１は内部に閉空間ＣＳｂを備えており、この閉空間ＣＳｂ内に磁気ディスク１２を収納することにより、磁気ディスク１２へのダストやガスの付着が防がれている。
なお、磁気ディスク１２は、カートリッジ本体１１に回転自在に保持されており、カートリッジ１０がディスクドライブ装置３０に装着されると、ディスクドライブ装置３０に備わる図示しないスピンドルモータから回転力の供給を受けて回転する。
【００１３】
カートリッジ開閉部材１３は、カートリッジ本体１１の一側面に形成された開口１１ａを開閉する。開口１１ａは、後述するように、ディスクドライブ装置３０の磁気ヘッド部が磁気ディスク１２にアクセスするために設けられている。
このカートリッジ開閉部材１３は、カートリッジ本体１１の一側面に設けられた案内部１１ｓに沿って矢印Ｂ１およびＢ２で示す向きにスライドすることにより開口１１ａを開閉する。
また、カートリッジ開閉部材１３の外側側面には、後述する収納部開閉部材と結合するための結合用凹部１３ｈが形成されている。
【００１４】
図１に示すように、ディスクドライブ装置３０は、カートリッジ１０を装着するカートリッジ装着部３３と、ヘッド部４０と、収納部８０と、ボイスコイルモータ部６０とを有する。
カートリッジ装着部３３は、ディスクドライブ装置３０のケース３１内に設けられたフレーム３２によって構成され、一端（図１において下側端部）が開口しており、カートリッジ１１の外形に略合致する内周面を有する。この内周面によってカートリッジ１１が案内される。カートリッジ装着部３３の開口を通じてカートリッジ１１を矢印Ｂ１およびＢ２の向きに抜き差しすることにより、カートリッジ１１が脱着される。
【００１５】
ここで、図２は、ヘッド部４０、収納部８０およびボイスコイルモータ部６０の構造の一例を示す断面図である。なお、図２は図１に示すディスクドライブシステムのＡ−Ａ線方向の断面図である。
【００１６】
収納部８０は、収納部材８１の内部にヘッド部４０を収納する閉空間ＣＳａを有する。
ヘッド部４０は、磁気ヘッド４１と、アーム４２と、回転軸４５と、軸受４６とを有する。
【００１７】
アーム４２は、上記した磁気ディスク１２を挟み、磁気ディスク１２の両面に対向するように設けられており、このアーム４２の先端部にそれぞれ磁気ディスク１２に対向して磁気ヘッド４１が保持されている。
磁気ヘッド４１は、磁気ディスク１２に記録された情報の再生および磁気ディスク１２への情報の記録を行う。なお、磁気ヘッド４１は本発明の記録／再生手段の一実施態様である。
【００１８】
回転軸４５は、アーム４２の後端部に連結されている。この回転軸４５は、軸受４６を介して収納部材８１に回転自在に保持されている。これにより、アーム４２は、回転軸４５を中心に旋回可能となっている。
収納部材８１は、ケース３１に固定されており、閉空間ＣＳａは軸受４６および回転軸４５により密封されている。
【００１９】
ボイスコイルモータ部６０は、ホルダーアーム６３に固定されたコイル６１と、このコイル６１に対向配置されたマグネット６２とを有する。
ホルダーアーム６３は、上記の回転軸４５の下端部に連結されている。
【００２０】
コイル６１に電流を供給することにより、コイル６１とマグネット６２との間に電磁力が作用し、この電磁力によりホルダーアーム６３が回転軸４５を中心に、図１に示す矢印Ｒ１およびＲ２の向きに旋回する。このホルダーアーム６３の旋回により、回転軸４５が回転し、回転軸４５に連結されたアーム４２が旋回する。したがって、ボイスコイルモータ部６０の位置制御を行うことにより、アーム４２の先端部に保持された磁気ヘッド４１を所望の位置に位置決めすることができる。
【００２１】
図１に示したように、収納部８０を構成する収納部材８１のカートリッジ装着部３３に対向する側面には、開口８１ａが形成されている。この開口８１ａは、カートリッジ１０の開口１１ａに対向する位置に形成されている。
収納部材８１には、開口８１ａを開閉する収納部開閉部材９０が設けられている。収納部開閉部材９０は、収納部材８１に設けられた案内部８１ｓに沿って移動可能に設けられている。
この収納部開閉部材９０には、カートリッジ開閉部材１３の結合用凹部１３ｈに嵌まる結合用凸部９０ｔが形成されている。この結合用凸部９０ｔがカートリッジ開閉部材１３の結合用凹部１３ｈに嵌まることにより、カートリッジ開閉部材１３と収納部開閉部材９０とが結合する。
【００２２】
ここで、図３は上記の収納部開閉部材９０の開閉を行う開閉機構の構造を示す断面図であり、図４は図３のＤ−Ｄ線方向の断面図である。なお、図３は、図１のＣ−Ｃ線方向の断面図である。
図３において、開閉機構は、ロック部材８５と、収納部開閉部材９０に連結された開閉用ピン１０１と、開閉用ピン１０１とコイルばね等の弾性部材１０２を介して連結された従動ピン１０５と、この従動ピン１０５とリンク１１５によって連結された駆動ピン１１０とを有する。
【００２３】
ロック部材８５は、図３に示すように、収納部開閉部材９０にピン８５ａを中心に回転可能に設けられている。このロック部材８５は、図１に示すように、収納部８０側の端部が、収納部材８１に形成された凹部８１ｈに嵌まることにより、収納部開閉部材９０が開口８１ａを閉じた位置から移動するのを規制する。
【００２４】
図４に示すように、従動ピン１０５は、ガイド板９６に形成された案内孔９６ｇ２に沿って矢印Ｗ１およびＷ２の向きに移動可能に設けられている。矢印Ｗ１およびＷ２の向きは、収納部開閉部材９０の開閉方向である。
駆動ピン１１０は、ガイド板９６に形成された案内孔９６ｇ１に沿って矢印Ｖ１およびＶ２の向きに移動可能に設けられている。この駆動ピン１１０は、カートリッジ１０をカートリッジ装着部３３に装着するときに、カートリッジ１０から挿入方向の力が図示しない機構によって直接あるいは間接に伝達され、矢印Ｖ１の向きに駆動される。
【００２５】
リンク１１５は、従動ピン１０５と駆動ピン１１０とが回転可能に連結されており、駆動ピン１１０が矢印Ｖ１の向きに駆動されると、従動ピン１０５は矢印Ｗ２の向き（収納部開閉部材９０の開放方向）に移動する。すなわち、リンク１１５は、駆動ピン１１０の動きを、駆動ピン１１０の移動方向Ｖ１およびＶ２とは異なる矢印Ｗ１およびＷ２の向きの運動に変換し、従動ピン１０５を移動させる。
弾性部材１０２は、従動ピン１０５の収納部開閉部材９０の開放方向への移動によって伸張する。弾性部材１０２の伸張により、開閉用ピン１０１は収納部開閉部材９０の開放方向に引っ張られる。この弾性部材１０２の引っ張り力によって、収納部開閉部材９０の開放が行われる。
【００２６】
次に、上記構成のカートリッジ１０をディスクドライブ装置３０に装着する動作の一例について説明する。
図５に示すように、カートリッジ１０を装着方向Ｄ１の向きに挿入し、カートリッジ装着部３３に装着すると、カートリッジ開閉部材１３の結合用凹部１３ｈに収納部開閉部材９０の結合用凸部９０ｔが嵌まる。
さらに、カートリッジ１０がカートリッジ装着部３３に装着されると、ロック部材８５にカートリッジ開閉部材１３が当接し、収納部材８１に形成された凹部８１ｈからロック部材８５が外れる。これにより、収納部開閉部材９０は開放方向に移動可能となる。
【００２７】
一方、上記した開閉機構は、図６に示すように、カートリッジ１０の装着方向Ｄ１ヘの挿入に応じて、駆動ピン１１０が矢印Ｖ１の方向に移動し、これにより、従動ピン１０２が矢印Ｗ２の方向に移動する。従動ピン１０２の矢印Ｗ２の方向への移動により、弾性部材１０２が伸張し、開閉ピン１０１に矢印Ｗ２の方向への引っ張り力が作用する。
カートリッジ開閉部材１３の結合用凹部１３ｈに収納部開閉部材９０の結合用凸部９０ｔが嵌まり、かつ、収納部材８１に形成された凹部８１ｈからロック部材８５が外れると、開閉ピン１０１に作用する引っ張り力によって、収納部開閉部材９０およびカートリッジ開閉部材１３が共に開放方向に移動する。
【００２８】
図７は、収納部開閉部材９０およびカートリッジ開閉部材１３が開放された状態を示す断面図である。
図７に示すように、収納部開閉部材９０およびカートリッジ開閉部材１３が共に開放されると、収納部８０の開口８１ａとこれに対向するカートリッジ１０の開口１１ａが連通し、収納部８０の閉空間ＣＳａとカートリッジ１０の閉空間ＣＳｂが結合される。
このとき、収納部８０の開口８１ａとカートリッジ１０の開口１１ａは嵌合しているので、連通された閉空間ＣＳａと閉空間ＣＳｂとは外部から密閉された状態にある。
【００２９】
収納部８０の開口８１ａとカートリッジ１０の開口１１ａが開放されると、ヘッド部４０が旋回し、カートリッジ１０内に挿入され、磁気ヘッド４２による回転する磁気ディスク１２に記録された情報の読み出し、あるいは、磁気ディスク１２への情報の書き込みが行われる。
【００３０】
磁気ヘッド４２による記録、再生が終了すると、ヘッド部４０は収納部８０内に収納される。
カートリッジ１０をカートリッジ装着部３３から離脱する際には、たとえば、ディスクドライブ装置３０に設けられた図示しない駆動機構により開閉ピン１０１を図４に示した矢印Ｗ１の向きに、弾性部材１０２の引っ張り力に抗して強制的に移動させる。このとき、リンク１１５の姿勢を拘束する。
収納部開閉部材９０およびカートリッジ開閉部材１３が閉鎖位置に達し、収納部８０の開口８１ａとカートリッジ１０の開口１１ａが閉じられたところで、リンク１１５の拘束を解除すると、駆動ピン１１０は弾性部材１０２の引っ張り力によって、図４に示した矢印Ｖ２の向きに移動する。この駆動ピン１１０の移動によってカートリッジ１０のカートリッジ装着部３３からの排出が行われる。
【００３１】
以上のように、本実施形態によれば、収納部８０の閉空間ＣＳａおよびカートリッジ１０の閉空間ＣＳｂが外部から隔離された状態で記録、再生が行われるため、磁気ディスク１２および磁気ヘッド４２のダストやガスによる汚染が防止される。
また、収納部８０の閉空間ＣＳａおよびカートリッジ１０の閉空間ＣＳｂは、カートリッジ１０のカートリッジ装着部３３への装着が完了し、収納部開閉部材９０とカートリッジ開閉部材１３とが結合されて同時に開放されるので、閉空間ＣＳａおよび閉空間ＣＳｂを常に外部から隔離することができる。このため、カートリッジ１０がディスクドライブ装置３０内に持ち込むダストやガスの収納部８０内への侵入を確実に防ぐことができる。
【００３２】
また、本実施形態によれば、カートリッジ１０のカートリッジ装着部３３の装着力を利用して収納部開閉部材９０およびカートリッジ開閉部材１３を開放するので、収納部開閉部材９０およびカートリッジ開閉部材１３を開閉するためのモータ等の駆動装置が不要となる。
【００３３】
本発明は上述した実施形態に限定されない。
上述した実施形態では、記録媒体として磁気ディスクの場合について説明したが、たとえば、光ディスク、光磁気ディスク等の他の円盤状の記録媒体にも本発明を適用可能である。
また、上述した実施形態では、ヘッド部４０を収納部８０に収納したが、ボイスコイルモータ部６０も含めて収納部８０に収納する構成とすることも可能である。
また、収納部開閉部材９０およびカートリッジ開閉部材１３の開放をカートリッジ１０の装着力を利用して行う場合について説明したが、モータ等の駆動装置を用いて行うことも可能である。
【００３４】
【発明の効果】
本発明によれば、カートリッジがディスクドライブ装置内に持ち込むダストやガス（水分、オイルミスト）を低減することによって、ダストやガスに対して信頼性が向上したディスクドライブ装置が提供される。
【図面の簡単な説明】
【図１】本発明の一実施形態に係るディスクドライブシステムの要部構成を示す断面図である。
【図２】ヘッド部、収納部およびボイスコイル部の構造の一例を示す断面図である。
【図３】開閉機構の構造を示す断面図である。
【図４】開閉機構の構造を説明するための図である。
【図５】カートリッジをディスクドライブ装置に装着する動作の一例を説明するための図である。
【図６】開閉機構の動作状態を示す断面図である。
【図７】収納部開閉部材およびカートリッジ開閉部材が開放され、ヘッド部が磁気ディスクをアクセスしている状態を示す断面図である。
【符号の説明】
１…ディスクドライブシステム、１０…カートリッジ、１１…カートリッジ本体、１２…磁気ディスク、１３…カートリッジ開閉部材、１３ｈ…結合用凹部、３０…ディスクドライブ装置、３３…カートリッジ装着部、４０…ヘッド部、４１…磁気ヘッド、６０…ボイスコイルモータ部、８０…収納部、８１…収納部材、８５…ロック部材、９０…収納部開閉部材、９０ｔ…結合用凸部。
【図１】
2004110925.tif 000003
【図２】
2004110925.tif 000004
【図３】
2004110925.tif 000005
【図４】
2004110925.tif 000006
【図５】
2004110925.tif 000007
【図６】
2004110925.tif 000008
【図７】
2004110925.tif 000009